(57)【要約】【課題】仕掛け部材同士を容易に着脱できるとともに仕掛け部材同士の接続状態を確実に保持できる釣用仕掛け及びその接続構造を提供する。【解決手段】本発明の釣用仕掛け１は、互いに着脱自在に接続される第１の仕掛け部材３と第２の仕掛け部材９とを含む。第１の仕掛け部材３は、第２の仕掛け部材９を挿通可能な内孔３ｃを有する。第２の仕掛け部材９は、第１の仕掛け部材３の内孔３ｃに挿通されたその接続状態において、第１の仕掛け部材３からの離脱が可能な第１の回転位置と、第１の仕掛け部材３からの離脱が規制される第２の回転位置との間で回転できる。【選択図】  図５
2018033364.tif 000002
【特許請求の範囲】
【請求項１】
互いに着脱自在に接続される第１の仕掛け部材と第２の仕掛け部材とを含む釣用仕掛けであって、
前記第１の仕掛け部材は、前記第２の仕掛け部材を挿通可能な内孔を有し、
前記第２の仕掛け部材は、前記第１の仕掛け部材の前記内孔に挿通されたその接続状態において、前記第１の仕掛け部材からの離脱が可能な第１の回転位置と、前記第１の仕掛け部材からの離脱が規制される第２の回転位置との間で回転可能であることを特徴とする釣用仕掛け。
【請求項２】
前記第２の仕掛け部材は、その外面上に係止突起を有し、
前記第１の仕掛け部材は、先端開口面を有する筒状を成すとともに、前記第２の仕掛け部材が前記第１の回転位置にあるときに前記係止突起が前記第１の仕掛け部材の前記内孔に位置してその内周面に対向するとともに前記第２の仕掛け部材が前記第２の回転位置にあるときに前記係止突起が前記内孔から離脱して前記第１の仕掛け部材の前記先端開口面に係止可能となるように前記先端開口面が形成されることを特徴とする請求項１に記載の釣用仕掛け。
【請求項３】
前記第１の仕掛け部材の前記先端開口面は、前記第１の仕掛け部材がその軸方向で先細るように傾斜面として形成されることを特徴とする請求項２に記載の釣用仕掛け。
【請求項４】
前記第１の仕掛け部材の前記先端開口面は、前記傾斜面から径方向に延在して前記第２の回転位置にある前記第２の仕掛け部材の前記係止突起と係止する係止面を有することを特徴とする請求項３に記載の釣用仕掛け。
【請求項５】
前記第１の仕掛け部材の前記先端開口面は、前記第２の回転位置が複数存在するように形成されることを特徴とする請求項２から４のいずれか一項に記載の釣用仕掛け。
【請求項６】
前記第２の仕掛け部材は、その外面上に係止突起を有し、
前記第１の仕掛け部材は、前記第２の回転位置にある前記第２の仕掛け部材の前記係止突起が係止する係止凹部をその内周面に有することを特徴とする請求項１に記載の釣用仕掛け。
【請求項７】
前記第１の仕掛け部材は、前記内孔に対する前記第２の仕掛け部材の着脱に伴って前記内孔の内径寸法が変化可能であることを特徴とする請求項１から６のいずれか一項に記載の釣用仕掛け。
【請求項８】
前記第１の仕掛け部材は、長尺な複数の装飾部材を束ねるチューブ内に嵌め付けられて前記装飾部材を前記チューブに対して位置ずれしないように保持する管状の保持部材であり、前記第２の仕掛け部材は、釣糸が接続される接続部を有するとともに、釣針を有するフックアセンブリの一部を構成する接続具であることを特徴とする請求項１から７のいずれか一項に記載の釣用仕掛け。
【請求項９】
第１の仕掛け部材と第２の仕掛け部材とを着脱自在に接続して成る釣用仕掛けの接続構造であって、
前記第１の仕掛け部材は、前記第２の仕掛け部材を挿通可能な内孔を有し、
前記第２の仕掛け部材は、前記第１の仕掛け部材の前記内孔に挿通されたその接続状態において、前記第１の仕掛け部材からの離脱が可能な第１の回転位置と、前記第１の仕掛け部材からの離脱が規制される第２の回転位置との間で回転可能であることを特徴とする接続構造。
【発明の詳細な説明】
【技術分野】
【０００１】
本発明は、釣用仕掛けに関し、特に、仕掛け部材同士の接続形態に特徴を有する釣用仕掛け及びその接続構造に関する。
【背景技術】
【０００２】
周知のように、釣用仕掛けは、従来から多種多様なものが存在する。そのような釣用仕掛けでは、それを構成する仕掛け部材同士の接続を要する場合も多い。例えば、鯛釣りでは、鯛ラバと呼ばれる疑似餌を伴う仕掛けが知られており（例えば、特許文献１参照）、また、そのような鯛ラバなどの疑似餌仕掛け（いわゆるラバージグ）は、一般に、金属製のジグヘッドと、ゴムやシリコン等により形成されるスカート（複数本のラバーにより形成される）と、例えばスカートと同様な素材により形成されるとともにスカートを形成する各ラバーよりも幅広なネクタイと、複数の釣針にアシストラインを結び付けて成るフックアセンブリとを備えて成る。
【０００３】
そして、そのようなラバージグ仕掛けの一形態として、例えば、ジグヘッドに通された釣糸をフックアセンブリの接続具に接続するとともに、スカート及びネクタイを束ねる例えばシリコン製のチューブ内に前記接続具を圧入接続することによって構成されるものが知られている。
【先行技術文献】
【特許文献】
【０００４】
【特許文献１】特開２００９−６０８６６号公報
【発明の概要】
【発明が解決しようとする課題】
【０００５】
ところで、前述したラバージグ仕掛けは、細かいパーツ（仕掛け部材）を細かい作業によって組み合わせて成るものであるため、スカート（複数本のラバー）及びネクタイを束ねるチューブ内にフックアセンブリの接続具を圧入接続する作業が非常にやり難く、また、その圧入接続も不十分であれば外れ易い。
【０００６】
また、このような問題は、ラバージグ仕掛けに限らず、細かい仕掛け部材を細かい作業によって組み合わせて成る様々な釣用仕掛けにおいて生じ得る。したがって、特にこの種の釣用仕掛けにおいては、仕掛け部材同士を簡単な作業で容易に着脱できるとともにその接続状態を確実に保持できるように仕掛け部材同士の接続形態を改善することが望まれる。
【０００７】
本発明は、上記した問題に着目してなされたものであり、仕掛け部材同士を容易に着脱できるとともに仕掛け部材同士の接続状態を確実に保持できる釣用仕掛け及びその接続構造を提供することを目的とする。
【課題を解決するための手段】
【０００８】
上記した目的を達成するために、本発明は、互いに着脱自在に接続される第１の仕掛け部材と第２の仕掛け部材とを含む釣用仕掛けであって、前記第１の仕掛け部材は、前記第２の仕掛け部材を挿通可能な内孔を有し、前記第２の仕掛け部材は、前記第１の仕掛け部材の前記内孔に挿通されたその接続状態において、前記第１の仕掛け部材からの離脱が可能な第１の回転位置と、前記第１の仕掛け部材からの離脱が規制される第２の回転位置との間で回転可能であることを特徴とする。
【０００９】
このように、上記構成では、第１の仕掛け部材の内孔に第２の仕掛け部材を挿通して接続し、その接続状態で第２の仕掛け部材を必要に応じて（既にその接続状態で第２の回転位置にある場合には、回転操作は不要）第１の仕掛け部材に対して第２の回転位置へと回転させるだけで、第１の仕掛け部材からの第２の仕掛け部材の離脱が規制され、一方、その規制状態から第２の仕掛け部材を第１の仕掛け部材に対して第１の回転位置へと回転させるだけで、第１の仕掛け部材から第２の仕掛け部材を抜去して離脱させることができる。すなわち、挿脱操作及び回転操作という簡単な操作のみで仕掛け部材同士を容易に着脱できるとともに、仕掛け部材同士の接続状態を確実に保持できる。そのため、細かい仕掛け部材を細かい作業によって組み合わせて成る様々な釣用仕掛けにおいて、特に有益であり、その着脱作業が非常にやり易い。
【００１０】
なお、上記構成において、第１の回転位置は１つの位置に限らない。例えば、第１の回転位置で接続具が保持部材に対して更に相対的に回転してもその回転された位置で第１の仕掛け部材からの第２の仕掛け部材の離脱が可能でありさえすれば、その回転した角度範囲内の任意の位置が第１の回転位置となる。同様に、第２の回転位置も１つの位置に限らない。例えば、第２の回転位置で接続具が保持部材に対して更に相対的に回転してもその回転された位置で第１の仕掛け部材からの第２の仕掛け部材の離脱が規制されれば、その回転した角度範囲内の任意の位置が第２の回転位置となる。すなわち、上記構成において、「第１の回転位置」は、第１の仕掛け部材からの第２の仕掛け部材の離脱を可能にする所定の回転角度範囲内の任意の位置も含み、また、「第２の回転位置」は、第１の仕掛け部材からの第２の仕掛け部材の離脱を規制する所定の回転角度範囲内の任意の位置も含む。
【００１１】
また、本発明は、上記構成を成す第１の仕掛け部材及び第２の仕掛け部材の接続構造も提供する。
【発明の効果】
【００１２】
本発明によれば、仕掛け部材同士を容易に着脱できるとともに仕掛け部材同士の接続状態を確実に保持できる釣用仕掛け釣用仕掛けが得られる。
【図面の簡単な説明】
【００１３】
【図１】本発明の一実施形態に係る接続構造を含む釣用仕掛けの一例を示す概略図である。
【図２】装飾部材を束ねるチューブに保持部材が嵌め付けられた状態を示す図１の釣用仕掛けの一部の概念的な側面図である。
【図３】装飾部材を束ねるチューブに保持部材が嵌め付けられた状態を示す概念的な斜視図である。
【図４】図１の釣用仕掛けの接続構造を構成する保持部材（第１の仕掛け部材）と接続具（第２の仕掛け部材）とを接続させた状態を示す斜視図（接続具が第２の回転位置に位置される）である。
【図５】図４の接続構造の側断面図であり、（ａ）は接続具が第１の回転位置にある状態を示し、（ｂ）は接続具が第２の回転位置にある状態を示す。
【図６】図４の接続構造の第１の変形例を示し、（ａ）は側面図、（ｂ）は斜視図である（いずれも接続具が第２の回転位置に位置される）。
【図７】図４の接続構造の第２の変形例を示し、（ａ）は接続構造の一方を構成する保持部材の斜視図、（ｂ）は、保持部材と接続具とを接続させた状態を示す斜視図である。
【図８】図４の接続構造の第３の変形例を示し、（ａ）は側断面図、（ｂ）は斜視図である（いずれも接続具が第２の回転位置に位置される）。
【発明を実施するための形態】
【００１４】
以下、添付図面を参照しながら、本発明の実施形態に係る釣用仕掛け及びその接続構造について具体的に説明する。  
図１には、本発明の一実施形態に係る接続構造１００を含む釣用仕掛け１の一例の全体図が示されている。この実施形態に係る釣用仕掛け１は、例えば図示しない金属製のジグヘッドと共に鯛ラバ（ラバージグ）を形成することもでき、その主要な構成要素として、図示のように、長尺な複数の装飾部材１０ａ，１０ｂ、例えば、ゴムやシリコン等により形成されるスカート（このスカートは、複数本のラバー１０ａにより形成される）、及び、例えばスカートと同様な素材により形成されるとともにスカートを形成する各ラバー１０ａよりも幅広なネクタイ１０ｂを有するとともに、これらのスカートのラバー１０ａ及びネクタイ１０ｂをそれらの長手方向中心付近で束ねる例えばシリコン製の結束チューブ（以下、単にチューブという）７と、チューブ７内に嵌め付けられて装飾部材１０ａ，１０ｂをチューブ７に対して位置ずれしないように保持する第１の仕掛け部材としての管状の保持部材３と、フックアセンブリ５とを有する。
【００１５】
フックアセンブリ５は、釣糸１９が接続可能な第２の仕掛け部材としての接続具９を有するとともに、この接続具９及び複数の釣針１３にアシストライン１２を結び付けて成る。接続具９は、保持部材３に対して着脱自在に接続され、保持部材３と共に釣用仕掛け１の本発明に係る接続構造１００を構成する。なお、図示のようにフックアセンブリ５の釣針１３に疑似餌又は更なる装飾部材１４が取り付けられてもよい。
【００１６】
そして、このような構成を成す釣用仕掛け１は、例えば、図示しない前記ジグヘッドに通された釣糸１９をフックアセンブリ５の接続具９に接続するとともに、スカートのラバー１０ａ及びネクタイ１０ｂをそれらの長手方向中心付近で束ねるチューブ７内に嵌め付けられた保持部材３の内孔３ｃ（図２参照）に接続具９を釣糸１９と共に図１に矢印で示されるように通して着脱自在に取り付けることによって組み付けられる。
【００１７】
ここで、図２に明確に示されるように、スカートのラバー１０ａ及びネクタイ１０ｂを束ねるチューブ７は円筒状を成している。また、保持部材３は、管状を成しており、チューブ７内に嵌め付けられることによりスカートのラバー１０ａ及びネクタイ１０ｂをチューブ７に対して位置ずれしないように保持する。特に、本実施形態において、保持部材３は、チューブ７内に圧入されることにより、特に図３に明確に示されるようにその外面とチューブ７の内面との間でスカートのラバー１０ａ及びネクタイ１０ｂを挟持する。なお、図２は、スカートのラバー１０ａ及びネクタイ１０ｂをその幅寸法が差別化されることなく概略的にしか示しておらず、また、図３は、保持部材３の形態を概略的にしか示していない。
【００１８】
具体的に、保持部材３は、図２に明確に示されるように、内孔３ｃを有する管状体として形成されており、チューブ７内に挿通される筒状の本体部３ａを有する。この本体部３ａは、チューブ７への挿通を容易にするべくその先端開口面３ｄが先細り状の傾斜面として形成されており、また、本体部３ａをチューブ７内に所定量挿入した状態でチューブ７の基端面に当接することによりチューブ７内への本体部３ａの挿入量を規定（規制）する環状のフランジ部３ｂを基端に有する。
【００１９】
また、フックアセンブリ５の接続具９は、図４に明確に示されるように、釣針１３に結び付けられるアシストライン１２（図１も参照）を接続するための接続孔９ｂを有する大径の（例えば砲弾形状を成す）頭部９ａを備える。また、この頭部９ａからは保持部材３の内孔３ｃに挿通可能な小径（本実施形態では、保持部材３の内孔３ｃの内径とほぼ等しい外径寸法を有するが、そうでなくても構わない）の挿通部９ｃが例えば先細り形状を成して延びており、それにより、頭部９ａと挿通部９ｃとの間には、挿通部９ｃを保持部材３の内孔３ｃに所定量挿入した状態で保持部材３のフランジ部３ｂに当接して保持部材３内への挿通部９ｃの挿入量を規定（規制）する段差状の環状端面９ｆが形成される。また、挿通部９ｃの先端には、釣糸１９（図１も参照）を接続するための接続孔（接続部）９ｄが設けられる。
【００２０】
なお、本実施形態において、接続具９の挿通部９ｃは、先細り形状に形成されているが、後述するように保持部材３の内孔３ｃに対する接続具９の着脱に伴って内孔３ｃの内径寸法が変化可能であるため、後述する係止突起の形成形態に応じて円柱状を成していても構わない。
【００２１】
前述したように、本実施形態において、保持部材３は、その内孔３ｃに対する接続具９の着脱に伴ってその内径寸法が変わることができるようになっている。そのような内径可変性は、例えば保持部材３の材料特性によって実現されてもよい。その場合、チューブ７、保持部材３、及び、接続具９のそれぞれに関して異なる素材を組み合わせ、例えば、保持部材３の硬度及び／又は伸縮性をチューブ７及び／又は接続具９のそれに対して異ならせてもよい。具体的には、保持部材３の硬度を接続具９のそれ以下とし且つチューブ７のそれよりも高く設定する。或いは、保持部材３の伸縮性を接続具９のそれよりも高く且つチューブ７のそれよりも低く設定する。そのような素材の組み合わせとしては、例えば、チューブ７として、シリコン、天然ゴム、合成ゴム、エラストマーを挙げることができ、保持部材３として、ＰＳ、ＰＥ、ＥＶＡ、ＰＡなどの合成樹脂を挙げることができ、また、接続具９など、保持部材３に対して着脱自在に取り付けられる他の仕掛け部材の接続具として、シリコン、天然ゴム、合成ゴム、エラストマーを挙げることができる。また、保持部材３の内径可変性は、このように素材の材料特性によって実現されてもよいが、例えば保持部材にスリットを設けるなどして、機械的な手段により実現されてもよい。
【００２２】
また、本実施形態に係る釣用仕掛け１は、保持部材３と接続具９との着脱を容易にするとともに保持部材３と接続具９との接続状態を確実に保持できる接続構造１００を特徴とする。すなわち、この接続構造１００において、第２の仕掛け部材としての接続具９は、第１の仕掛け部材としての保持部材３の内孔３ｃに挿通されたその接続状態において、保持部材３からの離脱が可能な図５の（ａ）に示される第１の回転位置と、保持部材３からの離脱が規制される図５の（ｂ）に示される第２の回転位置との間で回転できるようになっている（図５の矢印参照）。
【００２３】
具体的には、接続具９は、その挿通部９ｃの外面上に例えば半球面状の係止突起９ｅを有するとともに、保持部材３は、接続具３が第１の回転位置（図５の（ａ）の位置）にあるときに係止突起９ｅが保持部材３の内孔３ｃに位置してその内周面に対向する（例えば摺動自在に点接触（又は圧接）する）とともに接続具３が第２の回転位置（図５の（ｂ）の位置）にあるときに係止突起９ｅが内孔３ｃから離脱して保持部材３の先端開口面３ｄに係止可能となるように先端開口面３ｄが形成されている。このような保持部材３と接続具９との回転に伴う相対位置関係を実現し得る先端開口面３ｄの形態は、例えば、図４及び図５に示されるべく保持部材３がその軸方向で先細るように保持部材３の先端開口面３ｄを傾斜面として形成することにより実現できる。この場合、先端開口面３ｄの傾斜角度は、例えば、接続具９に対する係止突起９ｅの形成位置に応じて決まる。
【００２４】
なお、図５に示される形態では、接続具９が第２の回転位置（図５の（ｂ）の位置）にあるときに、係止突起９ｅが先端開口面３ｄに係止せず、この第２の回転位置で接続具９を保持部材３から引き抜こうとしたときに係止突起９ｅが先端開口面３ｄに係止してその引き抜き動作を阻止するようになっているが、接続具９が第２の回転位置にあるときに係止突起９ｅが既に先端開口面３ｄに係止するようになっていてもよい。
【００２５】
したがって、以上の構成によれば、接続具９を保持部材３の内孔３ｃに挿入していくと、接続具９の環状端面９ｆが保持部材３のフランジ部３ｂに当接した時点で、保持部材３の内孔３ｃへの接続具９のそれ以上の挿入が規制され、完全接続状態となる（図４及び図５の状態）。なお、この挿入過程では、前述したように保持部材３の内径が可変であるため、本実施形態のように挿通部９ｃの外径が保持部材３の内孔３ｃの内径とほぼ等しければ、図５の（ａ）に示されるように係止突起９ｅが保持部材３を弾性的に拡径させるとともに、保持部材３の内周面と係止突起９ｅとが点接触するため、保持部材３の内孔３ｃへの接続具９の挿入を小さな摩擦力（操作力）で容易に且つスムーズに行なえる。
【００２６】
また、この完全接続状態で既に接続具９が第２の回転位置（図５の（ｂ）の位置）にあれば、この位置で保持部材３からの接続具９の離脱が既に規制され得るため、保持部材３と接続具９との接続状態を確実に保持できる。しかしながら、接続具９の環状端面９ｆが保持部材３のフランジ部３ｂに当接した状態で接続具９が図５の（ａ）に示される第１の回転位置にある場合には、この位置から図５の（ｂ）に示される第２の回転位置へと接続具９を保持部材３に対して回転させる（この回転操作も、保持部材３の内周面と係止突起９ｅとが点接触するため、小さな摩擦力（操作力）で容易に行なえる）。この第２の回転位置では、係止突起９ｅが先端開口面３ｄと係止することができ、その係止状態では保持部材３からの接続具９の離脱が規制されて、保持部材３と接続具９との接続状態を確実に保持できる。
【００２７】
一方、保持部材３から接続具９を外す場合には、図５の（ｂ）に示される第２の回転位置から図５の（ａ）に示される第１の回転位置へと接続具９を保持部材３に対して回転させ、その第１の回転位置で接続具９を保持部材３に対して軸方向に移動させて引き抜けばよい。特に、本実施形態では、係止突起９ｅが半球面状を成すとともに、保持部材３の先端開口面３ｄがテーパ状を成すため、係止突起９ｅは、保持部材３の内孔３ｃから離脱された第２の回転位置から内孔３ｃに入り込む第１の回転位置へと向かう移行動作をスムーズに行なうことができ、また、内孔３ｃ内での係止突起９ｅの回転移動も、保持部材３の内周面と係止突起９ｅとの点接触に起因して滑らかに行なえる。そして、第１の回転位置でも、接続具９の係止突起９ｅが保持部材３の内孔３ｃの内側に位置してその内周面に点接触状態で対向するため、何の障害もなく係止突起９ｅを内孔３ｃの内周面に沿って摺動させて接続具９を保持部材３から容易に抜去できる。
【００２８】
以上説明したように、本実施形態では、保持部材３の内孔３ｃに接続具９を挿通して接続し、その接続状態で接続具９を必要に応じて（既にその接続状態で第２の回転位置にある場合には、回転操作は不要）保持部材３に対して第２の回転位置へと回転させるだけで、保持部材３からの接続具９の離脱が規制され、一方、その規制状態から接続具９を保持部材３に対して第１の回転位置へと回転させるだけで、保持部材３から接続具９を抜去して離脱させることができる。すなわち、挿脱操作及び回転操作という簡単な操作のみで保持部材３と接続具９とを容易に着脱できるとともに、これらの仕掛け部材３，９同士の接続状態を確実に保持できる。そのため、本実施形態の接続構造１００は、細かい仕掛け部材を細かい作業によって組み合わせて成る様々な釣用仕掛けにおいて、特に有益であり、その着脱作業が非常にやり易い。
【００２９】
また、本実施形態において、第１の回転位置では、係止突起９ｅと保持部材３の内周面との点接触に起因して、保持部材３に対する接続具９の挿脱動作及び第１の回転位置と第２の回転位置との間の回転動作を小さな摩擦力（操作力）で容易に且つスムーズに行なえる一方、第２の回転位置では、係止突起９ｅが内孔３ｃから離脱することに起因して、係止突起９ｅと保持部材３の内周面との点接触から面接触へと移行し、広い接触面積により保持部材３に対して接続具９を保持することができ、係止突起９ｅと先端開口面３ｄとの係止状態に加えてその大きな接触力により保持部材３による接続具９の保持力を高めることができる。すなわち、本実施形態は、保持部材３と接続具９との接触面積を第１の回転位置と第２の回転位置とで異ならせることにより、仕掛け部材（保持部材３、接続具９）同士の容易な着脱、及び、仕掛け部材（保持部材３、接続具９）同士の接続状態の確実な保持の両方を実現可能にし得る。
【００３０】
図６は、接続構造１００の第１の変形例を示す。この第１の変形例に係る接続構造１００Ａにおいて、保持部材３の先端開口面３ｄは、保持部材３がその軸方向で先細るように傾斜する図５に示される傾斜面と同じ形態を成す傾斜面３ｄａと、この傾斜面３ｄａから保持部材３の径方向に延在する係止面（径方向に沿う平面内で延びる面）３ｄｂとを有する。この場合、係止面３ｄｂは、第２の回転位置にある接続具９の係止突起９ｅと直接に係止する（図６の（ａ）（ｂ）参照）ように係止突起９ｅの形成位置に対応する位置で傾斜面３ｄａから径方向に延びる。
【００３１】
図５の接続構造形態では、接続具９が第２の回転位置にあるときでも、保持部材３の先端開口面３ｄの連続した先細り傾斜面形状に起因して、接続具９が第２の回転位置で保持部材３に対して相対的に回転すると、接続具９が保持部材３に対して軸方向で若干ガタつくが、図６の接続構造形態のように径方向に延びる係止面３ｄｂを設け、この係止面３ｄｂにより接続具９の第２の回転位置を規定すると、接続具９が第２の回転位置で保持部材３に対して相対的に回転しても、接続具９が保持部材３に対して軸方向でガタつかない。
【００３２】
図７は、接続構造１００の第２の変形例を示す。この第２の変形例に係る接続構造１００Ｂにおいて、保持部材３の先端開口面３ｄは、第２の回転位置が複数存在するように形成される。具体的には、保持部材３の先端開口面３ｄは、図５の接続構造形態における先細り傾斜面が保持部材３の中心軸に対して左右（又は上下）対称に対向配置された形態を成す。したがって、それぞれの第２の回転位置では２つの先細り傾斜面の移行部としての２つの凹部３ｄｃが形成される。
【００３３】
これらの凹部３ｄｃは、図６に示されるような係止面３ｄｂとして形成されてもよい。これらの凹部３ｄｃも、係止面３ｄｂと同様、係止突起９ｅの形成位置に対応する位置に設けられ、接続具９の第２の回転位置をガタつきなく規定する。なお、第２の回転位置は２つに限らない。３つ以上設けられてもよく、その場合には、３つ以上の先細り傾斜面が周方向に沿って連続的に或いは断続的に配置され、それに伴って傾斜面の移行部としての凹部３ｄｃ（すなわち、第２の回転位置）が３つ以上設けられる。
【００３４】
図８は、接続構造１００の第３の変形例を示す。この第３の変形例に係る接続構造１００Ｃにおいて、保持部材３は、接続具９の挿通部９ｃの先細り形状に対して相補的な先細り形状の内孔３ｃを有する先細り形状の本体部３ａを有するとともに、第２の回転位置にある接続具９の係止突起９ｅが係止する係止凹部９０をその内周面に有する。この係止凹部９０は、係止突起９ｅの形成位置に対応する位置で周方向に所定の長さにわたって延びる円弧状の長穴として形成され、接続具９の第２の回転位置をガタつきなく規定する。なお、係止凹部９０は、図示のように貫通穴であってもよいが、保持部材３を貫通しない陥凹溝として形成されても構わない。また、この第３の変形例では、第２の回転位置を規定する係止凹部９０が設けられるため、保持部材３の先端開口面３ｄは、径方向に沿う平面内で延びる垂直端面として形成される。
【００３５】
以上、本発明の実施形態について説明したが、本発明は、前述した実施形態に限定されず、その要旨を逸脱しない範囲で種々変形して実施できる。例えば、前述した実施形態では、本発明が鯛ラバなどのラバージグに適用されたが、本発明は、そのようなラバージグに限らず、仕掛け部材同士を接続して成る様々な釣用仕掛けにおいて適用できる。したがって、本発明の釣用仕掛けの接続構造の構成要素も前述した保持部材や接続具に限定されない。
【符号の説明】
【００３６】
１  釣用仕掛け
３  保持部材（第１の仕掛け部材）
３ｃ  内孔
３ｄ  先端開口面
３ｄａ  傾斜面
３ｄｂ  係止面
５  フックアセンブリ
７  チューブ
９  接続具（第２の仕掛け部材）
９ｅ  係止突起
１０ａ  スカートを形成するラバー（長尺な装飾部材）
１０ｂ  ネクタイ（長尺な装飾部材）
１３  釣針
１９  釣糸
９０  係止凹部
【図１】
2018033364.tif 000003
【図２】
2018033364.tif 000004
【図３】
2018033364.tif 000005
【図４】
2018033364.tif 000006
【図５】
2018033364.tif 000007
【図６】
2018033364.tif 000008
【図７】
2018033364.tif 000009
【図８】
2018033364.tif 000010